(57)【要約】【課題】車両内に設けられたオーディオ装置と携帯再生装置をケーブル接続させて該携帯再生装置の記憶媒体を再生させた場合であっても、美観を損なうことなくケーブル接続させることができる車両用オーディオシステムを提供することである。【解決手段】車両１のインストルメントパネル１０の略中央に形成されているオーディオ収納スペース１１にオーディオ装置２０と、該オーディオ装置２０と電気的に接続可能な外部入力端子３１ｂを有する収納ボックス３０とを備えている。【選択図】図１
2008126938.tif 000002
【特許請求の範囲】
【請求項１】
車両のインストルメントパネルの略中央に形成されているオーディオ収納スペースにオーディオ装置と、該オーディオ装置と電気的に接続可能な外部入力端子を有する収納ボックスとを備えた車両用オーディオシステム。
【発明の詳細な説明】
【技術分野】
【０００１】
本発明は、車両用オーディオシステムに関し、詳しくは、車両のインストルメントパネルの略中央に形成されているオーディオ収納スペースにオーディオ装置を備えた車両用オーディオシステムに関する。
【背景技術】
【０００２】
従来より、車両内で音楽を聴きたい場合、予め、車両内にスピーカとオーディオ装置をそれぞれ設けておき、これらをケーブルによって接続させて、音声信号が記憶された記憶媒体（例えば、カセットテープ、ＣＤ、ＭＤなど）をオーディオ装置によって再生させる方法が知られている。この方法によれば、その音声信号に基づいた音楽がスピーカから出力されるため、車両内で音楽を聴くことができる。このようにして音楽を聴く場合、音楽が記憶されている記憶媒体の種類とオーディオ装置が再生可能な記憶媒体の種類とが一致していなければならなかった。近年、携帯再生装置（例えば、携帯カセットプレーヤ、携帯ＣＤプレーヤ、携帯ＭＤプレーヤ、携帯ＨＤＤプレーヤなど）の普及により、これら携帯再生装置で聴いている音楽を車両内でも聴きたいという要望が多くなってきた。例えば、携帯カセットプレーヤで聴いている音楽を車両内で聴きたい場合、車両内に設けられたオーディオ装置がカセットテープを再生可能であれば聴くことは可能であった。しかし、車両内に設けられたオーディオ装置が、例えばＣＤのみを再生可能である場合、このオーディオ装置によってカセットテープを再生することはできなかった。このような場合、携帯カセットプレーヤの外部出力端子とオーディオ装置の外部入力端子とをケーブルによって接続させ、この接続状態でカセットテープを携帯カセットプレーヤによって再生させると、スピーカからこのカセットテープに記憶されている音楽を聴くことが可能であった。
【０００３】
なお、この出願の発明に関連する先行技術文献情報としては、例えば、非特許文献１が知られている。
【非特許文献１】［平成１８年９月７日  先行技術文献情報開示要件日検索］、インターネット〈URL：http://www.subaru.co.jp/stella/utility/05/04/01/index.html〉
【発明の開示】
【発明が解決しようとする課題】
【０００４】
しかしながら、上述した技術では、オーディオ装置の外部入力端子は、インストルメントパネルの略中央に形成されているオーディオ収納スペースのさらに下方に設けられている。例えば、図４に示すように、オーディオ装置（図４において、記載なし）の外部入力端子３１ａは、シフトレバー５０の傍に設けられている。そのため、オーディオ装置の外部入力端子３１ａと携帯カセットプレーヤ４０の外部出力端子４２をケーブル４１によって接続させたとき、携帯カセットプレーヤ４０を配置させる適当な場所がインストルメントパネル１０に存在しないという問題が発生していた。この問題を解決するため、図示するように、運転席と助手席との間に設けられたコンソールボックス（収納ボックス）６０の内部に携帯カセットプレーヤ４０を配置させることが考えられた。しかし、このように配置させると、コンソールボックス６０とインストルメントパネル１０との間にケーブル４１を配線させることになるため、美観的にも好ましくなかった。また、配線されたケーブル４１がシフトレバー５０を操作するときに干渉してしまうことがあった。
【０００５】
本発明は、このような課題を解決しようとするもので、その目的は、車両内に設けられたオーディオ装置と携帯再生装置をケーブル接続させて該携帯再生装置の記憶媒体を再生させた場合であっても、美観を損なうことなくケーブル接続させることができる車両用オーディオシステムを提供することを課題とする。
【課題を解決するための手段】
【０００６】
本発明は、上記の目的を達成するためのものであって、以下のように構成されている。
請求項１に記載の発明は、車両のインストルメントパネルの略中央に形成されているオーディオ収納スペースにオーディオ装置と、該オーディオ装置と電気的に接続可能な外部入力端子を有する収納ボックスとを備えた構成である。
この構成によれば、オーディオ装置と携帯再生装置をケーブルによって接続させて携帯再生装置の記憶媒体を再生させた場合であっても、ケーブルは収納ボックスの収納スペース内に収納されるため、美観を損なうことなくオーディオ装置と携帯再生装置をケーブルによって接続させることができる。
【発明を実施するための最良の形態】
【０００７】
以下、本発明を実施するための最良の形態を、図１〜３を用いて説明する。図１は、本発明に係る車両用オーディオシステムの全体斜視図である。図２は、収納ボックス３０内部に端子部３１を組み付ける構成について説明する図である。図３は、収納ボックス３０の収納スペース３２に携帯再生装置４０を収納した状態を説明する図である。
【０００８】
まず、図１を参照して、本発明に係る車両用オーディオシステムを説明する。この車両用オーディオシステムは、オーディオ装置２０と収納ボックス３０とに大別され構成されている。以下に、これらオーディオ装置２０と収納ボックス３０とをそれぞれ個別に説明する。
【０００９】
はじめに、オーディオ装置２０を説明する。オーディオ装置２０は、従来技術で説明したオーディオ装置と同様に、例えばＣＤのみを再生可能なものである。また、オーディオ装置２０は、１ＤＩＮサイズの機器であり、車両１のインストルメントパネル１０の略中央に形成されているオーディオ収納スペース１１の上方に組み付けられている。このオーディオ収納スペース１１は、１ＤＩＮサイズの機器を２段、または２ＤＩＮサイズの機器を１段まで収納可能なスペースを有している。
【００１０】
また、オーディオ装置２０の後面（図１において、車両１の前方側の面）には、外部入力端子２１が設けられている。この外部入力端子２１から音声信号が入力されると、従来技術の説明と同様に、その音声信号に基づいた音楽がスピーカ（図示しない）から出力されるため、車両内で音楽を聴くことができる。
【００１１】
次に、収納ボックス３０を説明する。収納ボックス３０は、その内部に各種の物を収納可能な収納スペース３２が形成されたボックスである。この収納ボックス３０の前面（図１において、車両１の後方側の面）に形成された開口部は、収納スペース３２内と連通されているため、この開口部から、各種の物を収納スペース３２内に収納させることができる。この収納ボックス３０も、既に説明したオーディオ装置２０と同様に、１ＤＩＮサイズの機器である。そのため、収納ボックス３０はオーディオ収納スペース１１の下方に組み付けられている。
【００１２】
また、収納ボックス３０の収納スペース３２内の右側（図１において、車両１の運転席側）位置には、前面に外部入力端子３１ａを有する端子部３１が組み付けられている。この組み付け構成について詳述すると、図２に示すように、収納ボックス３０の収納スペース３２の下面には、その前後方向（図１において、車両１の前後方向）と同一方向にガイドレール３２ａが設けられている。このとき、ガイドレール３２ａの右側面と収納スペース３２の右内面との距離は、端子部３１の左右の幅長と略同一となっている。そのため、端子部３１の左右側面をガイドレール３２ａの右側面および収納スペース３２の右内面に摺動させる格好で、端子部３１は収納ボックス３０の収納スペース３２内に組み付けられることになる。また、このように組み付けられたときに、端子部３１の前面は収納ボックス３０の前縁枠面より数ｃｍ程度（例えば、１〜２ｃｍ程度）押し込まれた位置となるように設定されている。
【００１３】
この組み付け構成によれば、簡便な構成で収納ボックス３０の収納スペース３２内に端子部３１を組み付けることができる。また、この収納ボックス３０を成形するための金型は、公知技術である小物入れを成形するための金型の一部を簡単に変更するだけでよい。ここで、小物入れとは、この収納ボックス３０と同様に、開口部と収納スペースが形成された１ＤＩＮサイズのボックスのことである。すなわち、小物入れとは、端子部３１を備えていない収納ボックス３０のことである。そのため、収納ボックス３０を成形するための金型を簡便に製造することができる。
【００１４】
また、端子部３１の後面（図１において、車両１の前方側の面）には、既に説明した外部入力端子３１ａと電気的に接続された外部出力端子３１ｂが設けられている。なお、収納ボックス３０の後面には開口部３０ａが形成されているため（図２参照）、端子部３１を収納スペース３２内に組み付けた状態（図１の状態）でも、この開口部３０ａによって端子部３１の後面の外部出力端子３１ｂが露出されることになる。そして、露出された外部出力端子３１ｂは、オーディオ装置２０の外部入力端子２１とケーブル３３によって接続されている。このようにして、収納ボックス３０の外部入力端子３１ａとオーディオ装置２０の外部入力端子２１とは、電気的に接続された状態となっている。
【００１５】
続いて、このオーディオシステムの作用効果を説明する。図３に示すように、携帯カセットプレーヤ４０の外部出力端子４２と収納ボックス３０の外部入力端子３１ａとをケーブル４１によって接続させ、この接続状態でカセットテープを携帯カセットプレーヤ４０によって再生させる。すると、既に説明したように、収納ボックス３０の外部入力端子３１ａとオーディオ装置２０の外部入力端子２１とは、電気的に接続された状態となっているため、従来技術で説明したように、スピーカ（図示しない）からこのカセットテープに記憶されている音楽を聴くことができる。
【００１６】
このようにして、オーディオ装置２０と携帯カセットプレーヤ４０をケーブル４１によって接続させて携帯カセットプレーヤ４０のカセットテープを再生させた場合であっても、ケーブル４１は収納ボックス３０の収納スペース３２内に収納されるため、美観を損なうことなくオーディオ装置２０と携帯カセットプレーヤ４０をケーブル４１によって接続させることができる。
【００１７】
また、既に説明したように、端子部３１の前面は収納ボックス３０の前縁枠面より数ｃｍ程度押し込まれた位置となっているため、ケーブル４１の端子部３１側の端部が収納ボックス３０の収納スペース３２内から飛び出ることがない。そのため、ケーブル４１を収納スペース３２内に確実に収納させることができる。
【００１８】
上述した内容は、あくまでも本発明の一実施の形態に関するものであって、本発明が上記内容に限定されることを意味するものではない。
実施例では、収納ボックス３０と端子部３１とは別体構成である例を説明した。しかし、これに限定されるものではなく、収納ボックス３０と端子部３１とは一体構成であっても構わない。
【図面の簡単な説明】
【００１９】
【図１】図１は、本発明に係る車両用オーディオシステムの全体斜視図である。
【図２】図２は、収納ボックス３０内部に端子部３１を組み付ける構成について説明する図である。
【図３】図３は、収納ボックス３０の収納スペース３２に携帯再生装置４０を収納した状態を説明する図である。
【図４】図４は、従来技術の問題点を説明する図である。
【符号の説明】
【００２０】
１      車両
１０    インストルメントパネル
１１    オーディオ収納スペース
２０    オーディオ装置
３０    収納ボックス
３１ａ  外部入力端子
【図１】
2008126938.tif 000003
【図２】
2008126938.tif 000004
【図３】
2008126938.tif 000005
【図４】
2008126938.tif 000006